(57)【要約】【課題】  機器本体の天面あるいは側面に機器を操作する操作部を有する水使用機器において、機器外郭に防水性を維持しつつも深みがあり透明感のある質感の表現を可能にするとともに、機器表面の文字や絵柄を立体的に表現し見やすくする。【解決手段】  機器天面あるいは側面に機器を操作する操作部を有し、部分的に加飾を施した透明フィルム層と透明材料層を一体に形成し、透明材料層側に有色材料層を一体に形成した３層からなるパネルを有し、前記パネルの端部において前記透明材料層は前記有色材料層より凸なる段差を設けた外郭部材で外郭を構成する。【選択図】  図１
2005080684.tif 000002
【特許請求の範囲】
【請求項１】
機器天面あるいは側面に機器を操作する操作部を有する水使用機器において、部分的に加飾を施した透明フィルム層と透明材料層を一体に形成し、透明材料層側に有色材料層を一体に形成した３層からなるパネルを有し、前記パネルの端部において前記透明材料層は前記有色材料層より凸なる段差を設けた外郭部材で外郭を構成した水使用機器。
【請求項２】
機器天面あるいは側面に機器を操作する操作部を有する水使用機器において、部分的に加飾を施した透明フィルム層と透明材料層を一体に形成し、透明材料層側に有色材料層を一体に形成した３層からなるパネルを有し、前記パネルの前記有色材料層に複数の突起部を設けた水使用機器。
【請求項３】
機器天面あるいは側面に機器を操作する操作部を有する水使用機器において、部分的に加飾を施した透明フィルム層と透明材料層を一体に形成し、透明材料層側に有色材料層を一体に形成した３層からなるパネルを有し、前記パネルは部分的に前記有色材料層のない透明部を有するとともに前記透明部の境界を構成する有色材料層終端部は前記透明部表面に略垂直に当接する面とした水使用機器。
【請求項４】
機器天面あるいは側面に機器を操作する操作部を有する水使用機器において、部分的に加飾を施した透明フィルム層と透明材料層を一体に形成し、透明材料層側に有色材料層を一体に形成した３層からなるパネルを有し、前記パネルは前記透明材料層がなく前記透明フィルム層と前記有色材料層からなるエンボス外周部を有し、前記エンボス外周部の内側に透明フィルム層のみからなるエンボス部を設けた水使用機器。
【請求項５】
エンボス部およびエンボス外周部の透明フィルム層に加飾を施した請求項４記載の水使用機器。
【発明の詳細な説明】
【技術分野】
【０００１】
本発明は、水を使用する機器の外郭に関するものである。
【背景技術】
【０００２】
従来、この種の機器の構成は次に示すようなものであった。図１０に示すように機器外郭５１の表面には外郭部材５５が装着される外郭部材装着部５６が凹設されている。この外郭部材装着部には操作部５２のアクチュエータ５２ａが臨む操作部操作孔５７と、操作に対応して表示をするパイロットランプ５３が貫通するパイロットランプ孔５８が設けられている。樹脂製の外郭部材５５はあらかじめ防水フィルム５９と一体成形され、操作部６０には外郭部材５５の樹脂はなく防水フィルム５９のみとなっている。また外郭部材は接着部６２により機器外郭５１に水密に接着されている（例えば、特許文献１参照）。
【特許文献１】特開平６−２０９８４９号公報（第３−４項、第１図）
【発明の開示】
【発明が解決しようとする課題】
【０００３】
しかしながら、このような従来の構成では、外郭部材にフィルム層を構成して本体内部に水が侵入しないようにし、かつ段差や溝をなくしお手入れしやすくすることは可能であるが、透明感のある質感を表現しようとすると、フィルムの裏面に加飾を施すことによるフィルム層の厚さ分しか透明感のある質感を機器外郭に表現することができず、より深みがあり透明感のある質感の表現はできなかった。また、機器表面に文字や絵柄を立体的に表現することもできなかった。
【０００４】
本発明は上記課題を解決するもので、水使用機器の外郭において、機器外郭に防水性を維持しつつも深みがあり透明感のある質感の表現を可能にするとともに、機器表面の文字や絵柄を立体的に表現し見やすくすることを目的とするものである。
【課題を解決するための手段】
【０００５】
前記従来の課題を解決するために、本発明第１項の水使用機器の外郭は、機器天面あるいは側面に機器を操作する操作部を有する水使用機器において、部分的に加飾を施した透明フィルム層と透明材料層と透明材料層側に有色材料層を一体に形成した３層からなるパネルを有し、前記パネルの端部において前記透明材料層は前記有色材料層より凸なる段差を設けたものである。
【０００６】
これにより、透明材料層を透過して有色材料層が目視されることにより、透明材料層の肉厚分の深み感が増し、防水性を維持しつつ深みがあり透明感のある質感の表現が可能となるに加え、透明フィルム層の加飾の影が透明材料層を透過して有色材料層に映るので、絵柄や文字などの加飾を立体的に表現できる。さらに端部において成形時の有色材料層の外周部へのはみ出しを防止し、成形時の歩留まりも向上させることができる。
【０００７】
また本発明第２項の水使用機器の外郭は機器天面あるいは側面に機器を操作する操作部を有する水使用機器において、部分的に加飾を施した透明フィルム層と透明材料層と透明材料層側に有色材料層を一体に形成した３層からなるパネルを有し、前記パネルの前記有色材料層は複数の突起部を有するものあり、成形時に複数の突起部と金型との摩擦により、型開き時にパネルの金型よりの外れを防止し、パネルの成形性を向上させる。
【０００８】
また本発明第３項の水使用機器の外郭は、機器天面あるいは側面に機器を操作する操作部を有する水使用機器において、部分的に加飾を施した透明フィルム層と透明材料層と透明材料層側に有色材料層を一体に形成した３層からなるパネルを有し、前記パネルは部分的に前記有色材料層のない透明部を有するとともに、前記透明部の境界を構成する有色材料層終端部は前記透明部の表面に対し略垂直面で当接させたものであり、透明部の境界において有色樹脂層の透明樹脂層への密着性を安定させ、透明樹脂層と有色樹脂層の剥離や割れを防止する。
【０００９】
また本発明第４項の水使用機器の外郭は、機器天面あるいは側面に機器を操作する操作部を有する水使用機器において、部分的に加飾を施した透明フィルム層と透明材料層と透明材料層側に有色材料層を一体に形成した３層からなるパネルを有し、前記パネルは前記透明材料層がなく前記透明フィルム層と前記有色材料層からなるエンボス外周部を有し、前記エンボス外周部の内側に透明フィルム層のみからなるエンボス部を設けたものあり、有色材料層の成形時にエンボス部の形状を加工するのでエンボス部の形状が安定する。
【００１０】
また本発明第５項の水使用機器の外郭は、エンボス部およびエンボス外周部の透明フィルム層に加飾を施した請求項４記載の水使用機器の外郭であり、機器の内臓部品やエンボス外周部の有色材料層を隠し、外観品位を損なわずに済むのに加え、エンボス部を立体的に表現でき、エンボス部が目視しやすくなる。
【発明の効果】
【００１１】
本発明の水使用機器の外郭は機器外郭に透明感のある質感を表現し、深みがあり高級感のあるデザインを可能にするとともに、機器表面の文字や絵柄を立体的に表現し見やすくする。
【発明を実施するための最良の形態】
【００１２】
請求項第１項の発明は、機器天面あるいは側面に機器を操作する操作部を有する水使用機器において、部分的に加飾を施した透明フィルム層と透明材料層と透明材料層側に有色材料層を一体に形成した３層からなるパネルを有し、前記パネルの端部において前記透明材料層は前記有色材料層より凸なる段差を設けたものである。
【００１３】
これにより、透明材料層を透過して有色材料層が目視されることにより、透明材料層の肉厚分の深み感が増し、防水性を維持しつつ深みがあり透明感のある質感の表現が可能となるに加え、透明フィルム層の加飾の影が透明材料層を透過して有色材料層に映るので、絵柄や文字などの加飾を立体的に表現できる。さらに端部において成形時の有色材料層の外周部へのはみ出しを防止し、成形時の歩留まりも向上させることができる。
【００１４】
請求項第２項の発明は、機器天面あるいは側面に機器を操作する操作部を有する水使用機器において、部分的に加飾を施した透明フィルム層と透明材料層と透明材料層側に有色材料層を一体に形成した３層からなるパネルを有し、前記パネルの前記有色材料層は複数の突起部を有するものあり、成形時に複数の突起部と金型との摩擦により、型開き時にパネルの金型よりの外れを防止し、パネルの成形性を向上させる。
【００１５】
請求項第３項の発明は、機器天面あるいは側面に機器を操作する操作部を有する水使用機器において、部分的に加飾を施した透明フィルム層と透明材料層と透明材料層側に有色材料層を一体に形成した３層からなるパネルを有し、前記パネルは部分的に前記有色材料層のない透明部を有するとともに、前記透明部の境界を構成する有色材料層終端部は前記透明部の表面に対し略垂直面で当接させたものであり、透明部の境界において有色樹脂層の透明樹脂層への密着性を安定させ、透明樹脂層と有色樹脂層の剥離や割れを防止する。
【００１６】
請求項第４項の発明は、機器天面あるいは側面に機器を操作する操作部を有する水使用機器において、部分的に加飾を施した透明フィルム層と透明材料層と透明材料層側に有色材料層を一体に形成した３層からなるパネルを有し、前記パネルは前記透明材料層がなく前記透明フィルム層と前記有色材料層からなるエンボス外周部を有し、前記エンボス外周部の内側に透明フィルム層のみからなるエンボス部を設けたものあり、有色材料層の成形時にエンボス部の形状を加工するのでエンボス部の形状が安定する。
【００１７】
請求項第５項の発明は、エンボス部およびエンボス外周部の透明フィルム層に加飾を施した請求項４記載の水使用機器の外郭であり、機器の内臓部品やエンボス外周部の有色材料層を隠し、外観品位を損なわずに済むのに加え、エンボス部を立体的に表現でき、エンボス部が目視しやすくなる。
【００１８】
以下、本発明の実施の形態について、図面を参照しながら説明する。なお、この実施の形態によって本発明が限定されるものではない。
【００１９】
（実施の形態１）
本発明の実施の形態１について、水使用機器である炊飯器を例に図１から図９を用いて説明する。図２において、炊飯器本体１は有底筒状の鍋収納部１ａを有し、着脱自在に鍋２を収納する。鍋収納部１ａの底部に設けられた底誘導コイル３が鍋加熱手段となり、鍋２を誘導加熱し炊飯・保温を行う。４は底センサーで、鍋２の温度を検知し、制御部５へ信号を送る。制御部５は底センサー４の信号より底誘導コイル３の通電量を変化させ、鍋２の加熱量を可変することで鍋２の温度を炊飯・保温時に適温に制御する。
【００２０】
本体上部は本体後部のヒンジ部６に設けたヒンジ軸７にて軸支された、開閉自在な蓋体８で覆われている。蓋体８の先端には蓋係合部１４が設けられており、本体前方のフックボタン１６と閉蓋時に係合し、炊飯または保温中に蓋が開くのを防止する。フックボタン１６を押すと、蓋係合部１４とフックボタン１６の係合が外れ、蓋体のヒンジ部６に設けられたヒンジバネ１７の力よって蓋が開く。
【００２１】
炊飯中や保温中にご飯から発生した蒸気は蓋体８の鍋側に付着し、蓋体８を開いたときに露が本体上縁部１ｂに滴下したり、保温中にご飯の上に落下して、ご飯を白化させたりする。そこで、蓋体８には鍋２の内部空間を加熱する加熱板９が設けられており、加熱板９は蓋加熱手段である蓋誘導コイル１０により誘導加熱され発熱し、炊飯・保温中の蓋体８への露つきを防止する。
【００２２】
加熱板９には加熱板蒸気口９ａが設けられており、炊飯・保温中に発生する蒸気は、加熱板蒸気口９ａを通過し、蓋蒸気口８ｃから外部へ流出する。１８は蒸気口パッキンで、加熱板蒸気口９ａからの蒸気が蓋体８の内部に流入するのを防止している。また１９は鍋パッキンで、加熱板９と鍋２のフランジ部２ａの間から蒸気が外部へ漏れ出すのを防止している。
【００２３】
蓋体８には、鍋加熱手段と蓋加熱手段を操作する操作部１３が設けられている。本例のように、操作部１３を蓋体８に設置すると炊飯器がどちらの向きに向いていても操作手段１３を操作でき、使い勝手がよいのに加え、炊飯器本体１の設置面積が少なくなり、炊飯器本体１の置き場所を確保しやすい。
【００２４】
図１にしめすように、蓋体８の外郭は表面に部分的に加飾を有し、透明な厚さ０．０５〜０．３ｍｍのポリエチレンテレフタレート樹脂等の透明フィルム層１５ａと、ＡＢＳ樹脂、ポリカーボネート樹脂、アクリル樹脂などからなり透明な透明材料層１５ｂを一体成形し、さらにその下層に有色材料層１５ｃを一体成形したパネル１５で覆われている。透明材料層１５ｂの厚さは、透明フィルム層１５ａに比べて十分に厚肉の１〜３ｍｍとなっている。有色材料層１５ｃは透明材料層１５ｂと同種の材料あるいは透明材料層１５ｂと成形密着性のある有色の材料からなり、たとえば透明材料層１５ｂがアクリル樹脂であれば、有色材料層１５ｃは着色したアクリル樹脂あるいはＡＢＳ樹脂で構成される。
【００２５】
そして、図３に示すようにパネル１５の外周もしくは内周部の端部は透明材料層１５ｂが有色材料層１５ｃより凸なる段差１５ｄが全周にわたって設けられている。
【００２６】
パネル１５は、有色材料層１５ｃ側に設けられたツメやボスなどの複数の突起部１５ｇを介して蓋体８に取り付けられている（図１）。
【００２７】
パネル１５には部分的に有色材料層１５ｃのない透明部１５ｈが設けられており、透明部１５ｈの下には表示部材２０ａが配されることにより、炊飯器の動作状態を表示する表示部２０を構成している。図４に示すように透明部１５ｈの境界を構成している有色材料層終端部１５ｊは透明部１５ｈの表面に対し略垂直に当接する面１５ｋで構成されている。
【００２８】
また、図５に示すように、パネル１５は透明フィルム層１５ａと有色材料層１５ｃの２層で構成されたエンボス外周部１５ｆが構成されており、その内側に透明フィルム層１５ａのみで構成され、凸状となったエンボス部１５ｅが設けられている。エンボス部１５ｅは凹凸上に可動することで押しボタンスイッチとして機能し、エンボス部１５ｅと対向して取り付けられたキー１３ｂを介してスイッチ１３ａを操作可能にすることで操作部１３を構成している。そして透明フィルム層１５ａのエンボス部１５ｅの部分とエンボス外周部１５ｆの部分には加飾処理が施され、外部からキー１３ｂやスイッチ１３ａが見えない構成となっている。
【００２９】
本例のようなパネル１５では、有色材料層１５ｃが透明フィルム層１５ａと前記透明材料層１５ｂを透過して目視されるので、外郭に透明フィルム層１５ａと透明材料層１５ｂの厚み分の深みとあり透明感のある質感の表現が可能となる。ここで、表面の透明フィルム層１５ａに比べて透明材料層１５ｂが厚いほど透明感のある質感は強調される。たとえば透明フィルム層１５ａの厚さは０．０５〜０．３ｍｍであるなら、透明材料層１５ｂの厚さは１ｍｍ以上あると、かなりの透明感のある質感が表現できる。また、透明フィルム層１５ａに施された文字や絵柄などの加飾の影が透明材料層１５ｂを通して有色材料層１５ｃに映り、文字や絵柄が立体的に表現できるので、文字は見やすくなりデザイン性もよりいっそう高まるとともに、深みと透明感がよりいっそう強調できる。加えて、一体成形することで、有色材料層１５ｃが透明フィルム層１５ａ及び透明材料層１５ｂからむらなく透過して見え、安定した品質で透明感のある質感を表現できる。ここで、パネル１５は表面が透明フィルム層１５ａで覆われているので、機器内部に水の浸入する心配はなく防水性が確保されている。
【００３０】
パネル１５の外周もしくは内周部の端部は透明材料層１５ｂが有色材料層１５ｃより凸となる段差１５ｄが全周にわたって設けられており、図６に示すようにパネル１５の有色材料層１５ｃを成形する際に、段差１５ｄは全周にわたって有色材料層１５ｃ側の金型２１ａに当接し、有色材料層１５ｃが成形時に外周部へはみだすのを防止している。これにより外観不良が減少し、成形時の歩留まりが向上する。
【００３１】
パネル１５の有色材料層１５ｃを成形する際に、反対側は透明フィルム層１５ａで覆われており、透明フィルム層１５ａ側の金型２１ｂから材料を充填することはできないことに加え、製品外観面となるので、透明フィルム層１５ａ側の金型２１ｂからパネル１５を取り出すためのイジェクターピン２１ｃも配置できない。したがって、金型１８を閉じたときには有色材料層１５ｃ側の金型２１ａから材料を充填し（図７）、金型を開いた時にパネル１５は有色材料層１５ｃ側の金型２１ａに残っておく必要がある（図８）。パネル１５の有色材料層１５ｃ側に設けられた複数の突起部１５ｇは、有色材料層１５ｃを成形する際に突起部１５ｇは金型との間で摩擦力を発生し、パネル１５が型開き時に有色材料層１５ｃ側の金型２１ａに残るようになるので、パネル１５を安定してイジェクターピン２１ｃによって金型２１ａから取り出すことができ（図９）、パネルの成形性を安定させることができる。
【００３２】
また、透明部１５ｈの境界を構成している有色材料層終端部１５ｊは前記透明部１５ｈの表面に対し略垂直に当接する面で構成されているので、有色材料層１５ｃの成形時に有色材料が有色材料層終端部１５ｊまでしっかりと充填され、透明材料層１５ｂと有色材料層１５ｃの密着力が十分に確保できるので、透明材料層１５ｂと有色材料層１５ｃの境界の剥離や割れといった外観不良を防止できる。ここで完全な垂直面であるほど材料は充填され易いが、透明部１５ｈの表面に対して７０°から９０°の範囲であれば、ほぼ完全に材料は充填され同様の効果を得ることができる。
【００３３】
パネル１５のエンボス部１５ｅは有色材料層１５ｃの成形時に凸状に形成される。エンボス部１５ｅは成形時に金型を凸状にし、金型に押し当ててフィルムを塑性変形させることで形状を形成するが、有色材料層１５ｃの成形時までは透明フィルム層１５ａのエンボス部１５ｂとなる部分は成形による熱や圧力などの影響がうけにくいので、エンボス形状を安定して成形で形作ることができる。
【００３４】
また、エンボス部１５ｅとエンボス外周部１５ｆ上の透明フィルム層には加飾が施されているので、キー１３ｂやスイッチ１３ａが外部から見えたりしない。またエンボス部１５ｅが透明材料層１５ｂの上に浮いているように見え、立体的に見えるので、立体的な操作部１３が構成できデザイン性が良くなると共にエンボス部１５が目視しやすくなる。
【００３５】
本例ではパネル１５が蓋体に構成されているが、パネル１５を本体１に構成してなる場合も同様の効果を得ることができる。
【００３６】
また、本例では炊飯器を例に挙げたが、その他調理器や洗濯機あるいは食器洗い乾燥機、給湯機といった操作部に水のかかる場合のある機器であれば本例と同様の効果を得ることができる。
【産業上の利用可能性】
【００３７】
以上のように、本発明にかかる水使用機器の外郭は、防水性を維持しつつ、深みがあり透明感のある質感の表現が可能となるので、各種水利用機器に利用できる。
【図面の簡単な説明】
【００３８】
【図１】本発明の実施の形態１の水使用機器の要部断面図（１）
【図２】同水使用機器の断面図
【図３】同水使用機器の要部断面図（２）
【図４】同水使用機器の要部断面図（３）
【図５】同水使用機器の要部断面図（４）
【図６】本発明の実施の形態１の成形状態図（１）
【図７】本発明の実施の形態１の成形状態図（２）
【図８】本発明の実施の形態１の成形状態図（３）
【図９】本発明の実施の形態１の成形状態図（４）
【図１０】従来の水使用機器の外郭の要部断面図
【符号の説明】
【００３９】
１３  操作部
１５  パネル
１５ａ  透明フィルム層
１５ｂ  透明材料層
１５ｃ  有色材料層
１５ｄ  段差
１５ｅ  エンボス部
１５ｆ  エンボス外周部
１５ｇ  突起部
１５ｈ  透明部
１５ｊ  有色材料層終端部
１５ｋ  略垂直に当接する面
【図１】
2005080684.tif 000003
【図２】
2005080684.tif 000004
【図３】
2005080684.tif 000005
【図４】
2005080684.tif 000006
【図５】
2005080684.tif 000007
【図６】
2005080684.tif 000008
【図７】
2005080684.tif 000009
【図８】
2005080684.tif 000010
【図９】
2005080684.tif 000011
【図１０】
2005080684.tif 000012